(57)【要約】      （修正有）【課題】昇温の高いことによる赤外線センサーや給水ポンプ、加熱管端子等の使用寿命が短くなくなったり、周波数変換器と変圧器との交換に適応しなくなったり、油煙による赤外線センサーの測量が不正確となったりすることを解決する手段を提供する。【解決手段】被加熱食品を入れるためのキャビティ１２と、キャビティとの間に電気室１０aが形成され、第一吸気口１４０が設けられた筺体と、電気室内に収容され、電気室に送風するためのファンユニット３０と、電気室内に収容され、キャビティにマイクロ波を照射するためのマグネトロン１８と、キャビティに設けられているとともに、マグネトロンとファンユニットとの間に位置しており、風をキャビティに導くためのキャビティ吸気口と、キャビティ吸気口に設けられているとともに、ファンユニットの送風側に位置しており、キャビティ内の食品の温度を検出するための赤外線温度センサー１６と、を備える。【選択図】図２
2017062100.tif 000002
【特許請求の範囲】
【請求項１】
被加熱食品を入れるためのキャビティと、
前記キャビティとの間に電気室が形成されており、第一吸気口が設けられた筺体と、
前記電気室内に収容されており、前記電気室に送風するためのファンユニットと、
前記電気室内に収容されており、前記キャビティにマイクロ波を照射するためのマグネトロンと、
前記キャビティに設けられているとともに、前記マグネトロンと前記ファンユニットとの間に位置しており、前記風を前記キャビティに導くためのキャビティ吸気口と、
前記キャビティ吸気口に設けられているとともに、前記ファンユニットの送風側に位置しており、前記キャビティ内の食品の温度を検出するための赤外線温度センサーと、
を備えることを特徴とする電子レンジ。
【請求項２】
前記マグネトロンに電力を供給するために用いられており、前記マグネトロンの下に位置しているとともに前記電気室の底部に固設されている電源装置を更に備えることを特徴とする請求項１に記載の電子レンジ。
【請求項３】
前記マグネトロンは前記キャビティの側板に固定されていることを特徴とする請求項２に記載の電子レンジ。
【請求項４】
前記筺体は、カバー、前板、後板及び底板を備え、
前記キャビティは、第一側板を備え、
前記第一側板、前記カバー、前記前板、前記後板及び前記底板によって前記電気室が形成されており、
前記第一側板には前記キャビティ吸気口が設けられており、
前記マグネトロン及び前記電源装置は、前記ファンユニットの送風側に位置していることを特徴とする請求項３に記載の電子レンジ。
【請求項５】
前記キャビティは、第二側板及び第三側板を備え、前記第二側板は前記第一側板に対向して設けられており、前記第三側板は前記第一側板と前記第二側板とを連結するように設けられており、前記二側板にはキャビティ排気口が設けられており、前記第三側板には排気カバーが設けられており、前記キャビティ排気口には前記排気カバーと連結された第一導風カバーが設けられていることを特徴とする請求項４に記載の電子レンジ。
【請求項６】
前記第三側板には、前記第一側板から離れる方向に沿って中空状後枠が延在しており、前記後板は、前記中空状後枠に設けられており、前記後板には前記第一吸気口が設けられており、前記ファンユニットは前記後板に設けられているとともに、前記第一吸気口に対応していることを特徴とする請求項５に記載の電子レンジ。
【請求項７】
前記ファンユニットは
ファンと、
前記ファンによって生成された前記風を前記電気室及び前記キャビティ吸気口に送るための第二導風カバーと
を備えることを特徴とする請求項６に記載の電子レンジ。
【請求項８】
前記キャビティの底部に設けられた加熱管を更に備えることを特徴とする請求項７に記載の電子レンジ。
【請求項９】
前記電気室内に収容されているとともに、前記ファンユニットの送風側に位置している加熱管端子をさらに備え、前記加熱管端子は前記加熱管と連結されており、前記ファンユニットに近接した前記底板の一端に設けられていることを特徴とする請求項８に記載の電子レンジ。
【請求項１０】
前記電気室内に収容されているとともに、前記ファンユニットの送風側に位置している給水ポンプをさらに備え、前記給水ポンプは、前記ファンユニットに近接した前記底板の前記一端に固定されており、前記加熱管端子と間隔をあけて設けられていることを特徴とする請求項９に記載の電子レンジ。
【請求項１１】
前記第二側板と前記カバーとの間に設けられているとともに、前記第二側板に固定されている蒸気発生器をさらに備え、前記蒸気発生器は、パイプラインを介して前記給水ポンプと連結されており、前記キャビティに水蒸気を輸送するために用いられていることを特徴とする請求項１０に記載の電子レンジ。
【請求項１２】
前記第一側板には光透過孔が設けられており、
前記光透過孔が前記マグネトロンと前記前板との間に位置しており、透明接着シートに覆われて封止されており、前記電気室内に前記光透過孔と対応するランプが収容されており、前記ランプが前記キャビティの外部に固定されており、
前記第一側板には、前記キャビティの外部に位置している断熱ユニットが設けられており、前記断熱ユニットは前記第一側板に設けられた断熱綿と、前記断熱綿に設けられた断熱板とを備え、前記透明接着シートが前記断熱板に貼付されていることを特徴とする請求項１１に記載の電子レンジ。
【請求項１３】
前記電気室内に形成されており、前記第一吸気口と前記キャビティ吸気口とを連通するための第一風路と、
前記電気室内に形成されており、前記カバーに設けられた第二吸気口と前記キャビティ吸気口とを連通するための第二風路と、
前記電気室内に形成されており、前記第一吸気口と前記筺体に設けられた第一排気口とを連通しており、内部に前記マグネトロン、前記電源装置及び前記ランプが設けられた第三風路と、
前記第一吸気口と前記筺体に設けられた第二排気口との間に形成されており、内部に前記筺体と前記キャビティの第一連結板との間に設けられたヒータが位置している第四風路と、
前記キャビティ吸気口と前記キャビティ排気口との間に形成された第五風路と、
前記排気カバーに設けられた第三排気口と
が形成されていることを特徴とする請求項１２に記載の電子レンジ。
【発明の詳細な説明】
【技術分野】
【０００１】
本発明は、家庭用電気製品分野に関し、特に電子レンジに関する。
【背景技術】
【０００２】
電子レンジにおいて、理想的な調理効果を達するために、一般的には、調理が特定の温度において行われる必要がある。即存の実現方法全体は、赤外線温度センサーを利用してキャビティ内の被加熱食品の温度を測定することによってキャビティ内の被加熱食品の温度を制御することである。先行技術の電子レンジにおいては、赤外線センサーがキャビティの奥側またはキャビティの右側の中間部位に位置するため、電気室の空間を大きくする必要があり、電子レンジ全体の小型化に不利である一方で、赤外線センサーの昇温が高くなると、その使用寿命に影響を与える。
【０００３】
更に、電子レンジで食品を加熱する場合には、食品中の水分が蒸散して食品が乾燥する。食品が乾燥するという問題を解決するために、一般的には、電子レンジが蒸気機能を備えるようにし、即ち、給水ポンプを利用して、水タンク内の水を蒸気発生器に吸入し、蒸気発生器が水を水蒸気にしてキャビティ内に噴射して食品に蒸散した水分を補充する。既存の電子レンジにおいては、給水ポンプが電気室の別の側またはキャビティの底部に設けられているため、給水ポンプが動作する時、その動作温度が高くなり、使用寿命に影響を与える。
【０００４】
更に、電子レンジにおいて、グリル機能を実現するために、既存の実現方法全体は、キャビティの頂部または底部の中間部位に加熱管を設けることである。しかし、動作時、加熱管端子の動作昇温が高くなり、使用寿命に影響を与える。
【０００５】
また、既存の赤外線温度センサーを備える電子レンジは、マグネトロンが電気室の底板の上に設けられ、マグネトロンに電力を供給するための周波数変換器がマグネトロンの上に設けられる。周波数変換器または変圧器を利用してマグネトロンに電力を供給できるため、周波数変換器の代わりに変圧器を利用する場合には、変圧器が重いので、周波数変換器の位置に変圧器を代わりに取り付けることができない。即ち、変圧器をマグネトロンの上に懸架することができない。そうでなければ、構造が不安定となる。従って、電子レンジは変圧器によって電力を供給する方法を利用する場合には、直接周波数変換器を変圧器に交換できず、導波管の設計及びマグネトロンの位置を変更する必要がある。従って、上述の電気部品の位置配置は、周波数変換器と変圧器との交換に適応しない。
【０００６】
また、電子レンジのキャビティには赤外線温度センサーの取り付け口が設けられており、赤外線温度センサーの温度プローブがキャビティに設けられてキャビティ内の被加熱食品の温度を測定する。同時に、キャビティには更にキャビティ吸気口が設けられており、キャビティ外部の空気がキャビティ吸気口からキャビティに入り、食品を加熱する過程において発生した油煙及び水蒸気を奪った後に、キャビティ排気口から排出される。加熱過程において、キャビティ内には油煙及び水蒸気を含む空気が赤外線温度センサーの取り付け口から容易に溢れ出し、油煙が温度プローブを汚染するため、赤外線温度センサーの測定結果が不正確となる。
【発明の概要】
【発明が解決しようとする課題】
【０００７】
本発明は、少なくともある程度まで、先行技術において、電子レンジが動作する時、昇温の高いことによる赤外線センサーや給水ポンプ、加熱管端子等の使用寿命が短くなくなったり、周波数変換器と変圧器との交換に適応しなくなったり、油煙による赤外線センサーの測量が不正確となったりするという問題点を解決することを趣旨とする。
【課題を解決するための手段】
【０００８】
本発明は電子レンジに関する。
【０００９】
本発明の実施形態に係る電子レンジは、被加熱食品を入れるためのキャビティと、前記キャビティとの間に電気室が形成されており、第一吸気口が設けられた筺体と、前記電気室内に収容されており、前記電気室に送風するためのファンユニットと、前記電気室内に収容されており、前記キャビティにマイクロ波を照射するためのマグネトロンと、前記キャビティに設けられているとともに、前記マグネトロンと前記ファンユニットとの間に位置しており、前記風を前記キャビティに導くためのキャビティ吸気口と、前記キャビティ吸気口に設けられているとともに、前記ファンユニットの送風側に位置しており、前記キャビティ内の食品の温度を検出するための赤外線温度センサーと、を備える。
【００１０】
本発明の実施形態に係る電子レンジによれば、赤外線温度センサーがファンユニットの送風側に位置しているため、赤外線温度センサーの動作昇温を下げ、赤外線温度センサーの使用寿命を延長することができる。赤外線温度センサーがマグネトロンとファンユニットとの間に位置しているため、電気室の空間を合理的に利用でき、電子レンジ全体の小型化に有利である。
【００１１】
幾つかの実施形態において、前記電子レンジは、前記マグネトロンに電力を供給するために用いられており、前記マグネトロンの下に位置しているとともに前記電気室の底部に固設されている電源装置を更に備える。
【００１２】
本発明の実施形態に係る電子レンジによれば、電源装置がマグネトロンの下に位置しているとともに電気室の底部に設けられているため、構造が安定となり、電子レンジの製品構造を変更せずに、電源装置の周波数変換器と変圧器との交換を実現することができる。
【００１３】
幾つかの実施形態において、前記マグネトロンは前記キャビティの側板に固定されている。
【００１４】
幾つかの実施形態において、前記筺体は、カバー、前板、後板及び底板を備え、前記キャビティは、第一側板を備え、前記第一側板、前記カバー、前記前板、前記後板及び前記底板によって前記電気室が形成されており、前記第一側板には前記キャビティ吸気口が設けられており、前記マグネトロン及び前記電源装置は、前記ファンユニットの送風側に位置している。
【００１５】
本発明の実施形態に係る電子レンジによれば、マグネトロン及び電源装置がファンユニットの送風側に位置しているため、マグネトロン及び電源装置の動作昇温を下げ、マグネトロン及び電源装置の使用寿命を延長することができる。
【００１６】
幾つかの実施形態において、前記キャビティは、第二側板及び第三側板を備え、前記第二側板は、前記第一側板に対向して設けられており、前記第三側板は前記第一側板と前記第二側板とを連結するように設けられており、前記二側板にはキャビティ排気口が設けられており、前記第三側板には排気カバーが設けられており、前記キャビティ排気口には前記排気カバーと連結された第一導風カバーが設けられている。
【００１７】
幾つかの実施形態において、前記第三側板には、前記第一側板から離れる方向に沿って中空状後枠が延在しており、前記後板は、前記中空状後枠に設けられており、前記後板には前記第一吸気口が設けられており、前記ファンユニットは前記後板に設けられているとともに、前記第一吸気口に対応している。
【００１８】
幾つかの実施形態において、前記ファンユニットは、ファンと、前記ファンによって生成された前記風を前記電気室及び前記キャビティ吸気口に送るための第二導風カバーとを備える。
【００１９】
幾つかの実施形態において、前記電子レンジは前記キャビティの底部に設けられた加熱管を更に備える。
【００２０】
幾つかの実施形態において、前記電子レンジは前記電気室内に収容されているとともに、前記ファンユニットの送風側に位置している加熱管端子をさらに備え、前記加熱管端子は前記加熱管と連結されており、前記ファンユニットに近接した前記底板の一端に設けられている。
【００２１】
本発明の実施形態に係る電子レンジによれば、加熱管端子がファンユニットの送風側に設けられているため、加熱管端子が使用される場合の動作昇温を下げ、加熱管端子の使用寿命を延長することができる。
【００２２】
幾つかの実施形態において、前記電子レンジは前記電気室内に収容されているとともに、前記ファンユニットの送風側に位置している給水ポンプをさらに備え、前記給水ポンプは、前記ファンユニットに近接した前記底板の前記一端に固定されており、前記加熱管端子と間隔をあけて設けられている。
【００２３】
本発明の実施形態に係る電子レンジによれば、給水ポンプがファンユニットの送風側に設けられているため、給水ポンプが使用される場合の動作昇温を下げ、給水ポンプの使用寿命を延長することができる。
【００２４】
幾つかの実施形態において、前記電子レンジは前記第二側板と前記カバーとの間に設けられているとともに、前記第二側板に固定されている蒸気発生器をさらに備え、前記蒸気発生器は、パイプラインを介して前記給水ポンプと連結されており、前記キャビティに水蒸気を輸送するために用いられている。
【００２５】
本発明の実施形態に係る電子レンジによれば、給水ポンプの使用寿命を延長した上で、蒸気機能を利用することができるため、加熱により食品中の水分が蒸散して、食品が乾燥するという問題を防止する。
【００２６】
幾つかの実施形態において、前記第一側板には光透過孔が設けられており、前記光透過孔が前記マグネトロンと前記前板との間に位置しており、透明接着シートに覆われて封止されており、前記電気室内に前記光透過孔と対応するランプが収容されており、前記ランプが前記キャビティの外部に固定されており、前記第一側板には、前記キャビティの外部に位置している断熱ユニットが設けられており、前記断熱ユニットは前記第一側板に設けられた断熱綿と、前記断熱綿に設けられた断熱板とを備え、前記透明接着シートが前記断熱板に貼付されている。
【００２７】
本発明の実施形態に係る電子レンジによれば、断熱綿がキャビティに対する保温作用を奏するとともに、電気室の電気部品がキャビティの高温の影響を受けることを回避することができる。また、透明接着シートが断熱板に貼付されているため、キャビティの温度が高すぎることによる透明接着シートの接着性への影響を回避することができる。
【００２８】
幾つかの実施形態において、前記電子レンジには、前記電気室内に形成されており、前記第一吸気口と前記キャビティ吸気口とを連通するための第一風路と、前記電気室内に形成されており、前記カバーに設けられた第二吸気口と前記キャビティ吸気口とを連通するための第二風路と、前記電気室内に形成されており、前記第一吸気口と前記筺体に設けられた第一排気口とを連通しており、内部に前記マグネトロン、前記電源装置及び前記ランプが設けられた第三風路と、前記第一吸気口と前記筺体に設けられた第二排気口との間に形成されており、内部に前記筺体と前記キャビティの第一連結板との間に設けられたヒータが位置している第四風路と、前記キャビティ吸気口と前記キャビティ排気口との間に形成された第五風路と、前記排気カバーに設けられた第三排気口とが形成されている。
【００２９】
本発明の実施形態に係る電子レンジによれば、赤外線温度センサーがキャビティ吸気口に設けられており、即ち、キャビティ吸気口を赤外線温度センサーの取り付け口として、各風路を介して、外部空気がキャビティ吸気口からキャビティ内に入り、これによって、キャビティ内の油煙が逆流してキャビティ吸気口から溢れ出する現象を回避し、油煙が赤外線温度センサーのプローブに対する汚染を減少し、測定結果の信頼性及び正確性を向上し、更に、キャビティ内の油煙及び水蒸気を含む混合気体が逆流して電気室に入って電気室内の電気部品と接触することを回避することができて、電気部品の使用寿命を延長することができる。
【００３０】
本発明の付加の方面及び利点が下記の説明において部分的に表れられ、一部が下記の説明よりより明らかとなり、或は本発明の実行より了解できる。
【図面の簡単な説明】
【００３１】
本発明の上述及び／或いは付加的方面とメリットは、下記の図面を結合した実施形態に対する説明において、明らかになり、理解されることが容易になる。その中で、
【図１】本発明の実施形態による電子レンジの構造模式図である。
【図２】本発明の実施形態による電子レンジのキャビティ及び電気室の構造模式図である。
【図３】本発明の実施形態による電子レンジの分解模式図である。
【図４】本発明の別の実施形態による電子レンジの構造模式図である。
【図５】本発明の実施形態による電子レンジの別の方向の構造模式図である。
【図６】本発明の実施形態による電子レンジの一部の分解模式図である。
【図７】本発明の実施形態による電子レンジの側面模式図である。
【発明を実施するための形態】
【００３２】
以下に、本発明の実施形態を詳細に説明する。前記実施形態の実例が図面において示されるが、一貫して同一または類似する符号は、相同又は類似の部品、或いは、相同又は類似の機能を有する部品を表す。以下に、図面を参照しながら説明される実施形態が例示性のものであり、本発明を解釈するためだけに用いられるものであって、本発明を制限するように理解されてはならない。
【００３３】
本発明に対する説明において、用語である「中心」、「縦方向」、「横方向」、「長さ」、「厚さ」、「上」、「下」、「前」、「後」、「左」、「右」、「鉛直」、「水平」、「頂」、「底」、「内」、「外」、「時計回り」、「反時計回り」などで表れる方位又は位置関係は、図面に示す方位又は位置関係に基づき、本発明を便利にまたは簡単に説明するために使用されるものであり、指定された装置又は部品が特定の方位にあり、特定の方位において構成され、操作されると指示又は暗示するものではないため、本発明に対する限定と理解してはいけない。なお、用語である「第一」、「第二」は説明のためだけに用いられるものであり、比較的な重要性を指示又は暗示するか、或いは示された技術特徴の数を黙示的に明示すると理解してはいけない。そこで、「第一」、「第二」が限定されている特徴は一つ又はより多くのこの特徴を含むことを明示又は暗示するのである。本発明の説明において、明確且つ具体的な限定がない限り、「複数」とは、二つ又は二つ以上のことを意味する。
【００３４】
なお、本発明の説明において、明確な規定と限定がない限り、用語である「取り付け」、「互いに接続」、「接続」の意味は広く理解されるべきである。例えば、固定接続や、着脱可能な接続や、あるいは一体的な接続でも可能である。機械的な接続や、電気接続や、あるいは直接的に互いに接続することや、中間媒体を介して間接的に互いに接続することや、二つの部品の内部が連通することや、二つの部品の相互作用の関係も可能である。当業者にとって、具体的な状況に応じて上記用語の本発明中の具体的な意味を理解することができる。
【００３５】
本発明において、明確な規定と限定がない限り、第一特徴が第二特徴の「上」又は「下」にあることは、第一特徴と第二特徴とが直接接触することを含んでもよく、第一特徴と第二特徴とが直接接触することなくそれらの間に別の特徴を介して接触することを含んでもよい。また、第一特徴が第二特徴の「上」、「上方」又は「上面」にあることは、第一特徴が第二特徴の真上及び斜め上にあることを含むか、或いは、単に第一特徴の水平高さが第二特徴より高いことだけを表す。第一特徴が第二特徴の「下」、「下方」又は「下面」にあることは、第一特徴が第二特徴の真下及び斜め下にあることを含むか、或いは、単に第一特徴の水平高さが第二特徴より低いことだけを表す。
【００３６】
以下の説明において、異なる実施例または例を複数提供することにより本発明の異なる構造を実現する。本発明を簡素化するため、以下の説明において特定の例の部材及び配置について説明する。勿論、これらは例示に過ぎず、本発明を限定することを意図していない。また、本発明は、異なる例において数字及び／またはアルファベットを重複して参考することができる。このような重複は、簡素化及び明瞭のためであり、それ自体は検討する各種の実施例及び／または配置の間の関係を示すものではない。また、本発明は、さまざまな特定の工程及び材料の例を挙げているが、当業者は、他の工程の適応及び／または他の材料の使用も考慮することが可能である。
【００３７】
図１〜３に示す通り、本発明の実施形態の電子レンジ１０は、キャビティ１２と、筺体１４と、ファンユニット３０と、マグネトロン１８と、赤外線温度センサー１６とを含む。
【００３８】
キャビティ１２は被加熱食品を入れるために用いられる。キャビティ１２と筺体１４との間に電気室１０ａが形成されており、筺体１４には第一吸気口１４０が設けられている。マグネトロン１８は、電気室１０ａ内に収容されており、キャビティ１２にマイクロ波を照射するために用いられる。ファンユニット３０は、電気室１０ａ内に収容されているとともに、第一吸気口１４０に対応して設けられている。赤外線温度センサー１６はキャビティ１２内の食品の温度を検出するために用いられており、ファンユニット３０の送風側に位置しており、マグネトロン１８とファンユニット３０との間に位置している。
【００３９】
本発明の実施形態に係る電子レンジ１０によれば、赤外線温度センサー１６がファンユニット３０の送風側に位置しているため、赤外線温度センサー１６の動作昇温を下げ、赤外線温度センサー１６の使用寿命を延長することができる。赤外線温度センサー１６がマグネトロン１８とファンユニット３０との間に位置しているため、電気室１０ａの空間を合理的に利用でき、電子レンジ１０全体の小型化に有利である。
【００４０】
本発明の実施形態において、キャビティ１２にはキャビティ吸気口１２０が設けられており、赤外線温度センサー１６はキャビティ吸気口１２０に設けられている。
【００４１】
このように、赤外線温度センサー１６はキャビティ吸気口１２０に設けられており、すなわち、キャビティ吸気口１２０を赤外線温度センサー１６の取り付け口とし、これによって、キャビティ１２内の油煙が逆流してキャビティ吸気口１２０から溢れ出す現象を回避し、油煙が赤外線温度センサー１６のプローブに対する汚染を減少し、測定結果の信頼性及び正確性を向上することができる。
【００４２】
また、このように、キャビティ内の油煙及び水蒸気を含む混合気体が逆流して電気室１０ａに入って電気室１０ａ内の電気部品と接触することを回避することができて、電気部品の使用寿命を延長することができる。
【００４３】
図３中の電子レンジ１０には、キャビティ吸気口１２０を露出させるように、赤外線温度センサー１６のフレームのみが示される。
【００４４】
電気室１０ａ内に第一吸気口１４０とキャビティ吸気口１２０とを連通するための第一風路１０ｂが形成されており、外部空気が第一風路１０ｂを介してキャビティ吸気口１２０からキャビティ１２内に入る。
【００４５】
好ましくは、キャビティ１２には、単一のキャビティ吸気口１２０が設けられており、このように、キャビティ１２内の油煙及び水蒸気が当該キャビティ吸気口１２０からの逆流を効果的に防止し、赤外線温度センサー１６の精度への影響を回避することができる。
【００４６】
同時に、キャビティ１２には単一のキャビティ吸気口１２０が設けられているため、気流が赤外線温度センサー１６に対するクリーニング効果および冷却効果を強めることもできる。
【００４７】
他の実施形態において、キャビティには、複数のキャビティ吸気口が設けられていることができる。このような実施形態において、好ましくは、赤外線温度センサーが、吸気速度の最大であるキャビティ吸気口に設けられる。
【００４８】
キャビティ１２は、略直方体であり、第一側板１２２、第二側板１２４、第三側板１２６、第四側板１２８、第一連結板１２ａおよび第二連結板１２ｂを備える。第一側板１２２と第二側板１２４とが対向しており、第三側板１２６と第四側板１２８とが対向しており、第一連結板１２ａが第一側板１２２、第二側板１２４、第三側板１２６および第四側板１２８と連結されており、第二連結板１２ｂと第一連結板１２ａとが対向しており、第二連結板１２ｂが第一側板１２２、第二側板１２４、第三側板１２６および第四側板１２８と連結されている。第一側板１２２にはキャビティ吸気口１２０が設けられている。
【００４９】
第三側板１２６には、第一側板１２２から離れる方向に沿って中空状後枠１２６ａが延在しており、第四側板１２８には、第一側板１２２から離れる方向に沿って中空状前枠１２８ａが延在している。
【００５０】
第二連結板１２ｂには第一側板１２２から離れる方向に沿って孔開き底板が延在している。図に示すように、第一連結板１２ａがキャビティ１２の天面板であり、第二連結板１２ｂがキャビティ１２の底面板であると理解されることができる。第四側板１２８には長方形開口１２８ｂが設けられて長方形開口１２８ｂによって食品をキャビティ１２内に入れるかまたは食品をキャビティ１２から取り出す。電子レンジ１０は、動作過程において、扉によって長方形開口１２８ｂを封止する。
【００５１】
筺体１４は、略直方体であり、カバー１４２、前板（図示せず）、後板１４６及び底板１４８を備える。カバー１４２は略コの字形であり、キャビティ１２をカバーしており、キャビティ１２の第一側板１２２、第二側板１２４および第一連結板１２ａを覆っている。
【００５２】
前板はキャビティ１２の第四側板１２８の中空状前枠１２８ａに設けられており、後板１４６はキャビティ１２の第三側板１２６の中空状後枠１２６ａに設けられており、底板１４８はキャビティ１２の第二連結板１２ｂの孔開き底板に設けられている。後板１４６には第一吸気口１４０が設けられている。
【００５３】
図４を参照すると、本実施形態においては、キャビティ１２の第一側板１２２と、筺体１４のカバー１４２と、前板と、後板１４６と、底板１４８とで電気室１０ａが形成されており、カバー１４２には第二吸気口１４２ａが設けられており、電気室１０ａ内に第二吸気口１４２ａとキャビティ吸気口１２０とを連通するための第二風路（図に示せず）が形成されている。具体的には、第二吸気口１４２ａは、カバー１４２の第一側板１２２と対向する側に設けられているとともに、後板１４６に近接するように設けられている。外部空気が第二風路を介してキャビティ１２内に入る。
【００５４】
このように、電子レンジ１０は、カバー１４２に第二吸気口１４２ａを設けることによって吸気量を増加することができる。
【００５５】
また、電子レンジ１０は、さらに、電源装置２０と、導波管３６と、ランプ２２とを備える。電源装置２０と、導波管３６と、ランプ２２とは電気室１０ａ内に収容されている。
【００５６】
マグネトロン１８は、キャビティ１２内の食品を加熱するマイクロ波を生成するために用いられる。電源装置２０はマグネトロン１８に電力を供給するために用いられる。導波管３６はマグネトロン１８によって生成されたマイクロ波をキャビティ１２内に導入して食品を加熱するために用いられる。ランプ２２はキャビティ１２を照明するために用いられる。
【００５７】
本実施形態において、電源装置２０は電気室１０ａの底部に固定されており、マグネトロン１８はキャビティ１２の第一側板１２２に固定されており、マグネトロン１８は電源装置２０の上に位置している。電源装置２０は周波数変換器または変圧器であることができる。
【００５８】
電源装置２０は電気室１０ａの底部に固定されているため、構造が安定であり、周波数変換器と高圧変圧器とを交換する場合には、電子レンジ１０の製品構造を変更する必要がなく、すなわち、導波管３６の設計及びマグネトロン１８の位置を変更する必要がない。
【００５９】
本実施形態において、導波管３６はＬ字形状に形成されている。当然として、導波管３６は、Ｌ字形状に限られず、他の形状であってもよく、マグネトロン１８によって生成されたマイクロ波をキャビティ１２内に導入すればいい。
【００６０】
本実施形態において、筺体１４には第一排気口１４ａが設けられており、電気室１０ａ内には第一吸気口１４０と第一排気口１４ａを連通するための第三風路１０ｄが形成されており、第三風路１０ｄ内にマグネトロン１８と、電源装置２０と、ランプ２２とが形成されている。具体的には、第一排気口１４ａは、カバー１４２のキャビティ１２の第一側板１２２と対向する側に位置している。
【００６１】
このように、外部空気が第一吸気口１４０から電気室１０ａ内に入り、第三風路１０ｄを流れるとともに、マグネトロン１８、電源装置２０及びランプ２２の熱を奪った後、第一排気口１４ａから電子レンジ１０の外部に排出される。
【００６２】
本実施形態において、筺体１４には、第二排気口１４ｂが設けられており、第一吸気口１４０と第二排気口１４ｂとの間に第四風路１０ｅが形成されており、筺体１４とキャビティ１２の第一連結板１２ａとの間にヒータ（図示せず）が設けられており、ヒータが第一連結板１２ａに固設されている。具体的には、第二排気口１４ｂは、カバー１４２のキャビティ１２の第二側板１２４と対向する側に位置している。
【００６３】
ヒータは電子レンジ１０がグリル機能を実現する部品とすることができる。
【００６４】
このように、外部空気が第一吸気口１４０から電気室１０ａ内に入り、第四風路１０ｅを流れるとともにヒータを冷却した後に、第二排気口１４ｂから電子レンジ１０の外部に排出される。
【００６５】
本実施形態において、キャビティ１２の第二側板１２４にはキャビティ排気口１２ｃが設けられており、キャビティ吸気口１２０とキャビティ排気口１２ｃとの間に第五風路（図示せず）が形成されている。
【００６６】
このように、空気がキャビティ吸気口１２０からキャビティ１２内に入り、キャビティ１２内の油煙及び水蒸気を混合した後に、第五風路を介してキャビティ排気口１２ｃからキャビティ１２の外部に排出される。
【００６７】
図５及び図６に示す通り、本実施形態において、キャビティ１２の第三側板１２６には排気カバー２６が設けられており、キャビティ排気口１２ｃには第一導風カバー２８が設けられており、第一導風カバー２８と排気カバー２６とが連結されており、排気カバー２６には第三排気口２６０が設けられている。
【００６８】
このように、キャビティ排気口１２ｃから排出された空気が第一導風カバー２８を介して排気カバー２６に入り、最後に第三排気口２６０から排出される。これによって、キャビティ１２からの空気とキャビティ１２の外部の電気部品との接触を回避し、電気部品の使用寿命を延長するとともに、排出された空気がユーザーに対する邪魔を回避し、電子レンジのユーザー体験を向上することができる。
【００６９】
本実施形態において、後板１４６には、電気室１０ａ内のファンユニット３０が固設されている。
【００７０】
このように、電子レンジ１０を起動した後に、ファンユニット３０は、外部空気が後板１４６の第一吸気口１４０から電気室１０ａに吸入されることを早めることができる。
【００７１】
本実施形態において、マグネトロン１８は、キャビティ１２の第一側板１２２に固設されており、キャビティ吸気口１２０がマグネトロン１８とファンユニット３０との間に設けられている。このように、キャビティ吸気口１２０がファンユニット３０により近くなり、赤外線温度センサー１６の清潔度をより一層確保することができる。
【００７２】
本実施形態において、ファンユニット３０は、ファン３００と、ファン３００によって生成された風を電気室１０ａ及びキャビティ吸気口１２０に送るための第二導風カバー３０２とを備える。
【００７３】
本実施形態において、キャビティ１２の第一側板１２２には光透過孔１２２ａが設けられており、光透過孔１２２ａは透明接着シート３２によって覆われており、光透過孔１２２ａが透明接着シート３２によって封止されており、ランプ２２がキャビティ１２の外部に固定されているとともに、光透過孔１２２ａに対応している。
【００７４】
このように、透明接着シート３２が透光効果を奏するとともに光透過孔１２２ａを封止するため、キャビティ１２内の温度が電気室１０ａ内に漏れることを防止することができる。
【００７５】
本実施形態において、キャビティ１２の第一側板１２２には、キャビティ１２の外部に位置している断熱ユニット３４が設けられており、断熱ユニット３４は第一側板１２２に設けられた断熱綿３４０と、断熱綿３４０に設けられた断熱板３４２とを備え、透明接着シート３２が断熱板３４２に貼付されている。
【００７６】
このように、断熱綿３４０はキャビティ１２に対する保温効果を奏するとともに、電気室１０ａの電気部品がキャビティ１２の高温の影響を受けることを回避することができる。また、透明接着シート３２が断熱板３４２に貼付されているため、キャビティ１２の温度の高すぎることによる透明接着シート３２の接着性への影響を回避することができる。
【００７７】
本実施形態において、電子レンジ１０は、キャビティ１２の外部に設けられた給水ポンプ３８と蒸気発生器４０を備える。蒸気発生器４０は、パイプラインを介して給水ポンプ３８と連結されており、キャビティ１２に水蒸気を輸送するために用いられている。
【００７８】
このように、蒸気発生器４０はキャビティ１２に水蒸気を輸送してキャビティ１２内の食品が加熱されて乾燥し過ぎることを回避し、食品の食感を確保することができる。
【００７９】
好ましくは、給水ポンプ３８は、電気室１０ａ内に収容されているとともに、ファンユニット３０の送風側に設けられている。具体的には、給水ポンプ３８は、ファンユニット３０に近接した底板１４８の一端に設けられている。蒸気発生器４０はキャビティ１２の第二側板１２４とカバー１４２との間に設けられており、蒸気発生器４０は第二側板１２４に固定されている。
【００８０】
このように、給水ポンプ３８はファンユニット３０の送風側に設けられているため、給水ポンプが使用される場合の動作昇温を下げ、給水ポンプの使用寿命を延長することができる。
【００８１】
本実施形態において、電子レンジ１０はキャビティ１２の底部に設けられた加熱管を備える。このように、電子レンジ１０はグリル機能を実現することができる。従って、本実施形態において、電子レンジは、異なる位置にヒータ及び加熱管を備えるため、食品を立体的にグリル調理することが出来る。
【００８２】
図７に示す通り、本実施形態において、電気室１０ａ内には、ファンユニット３０の送風側に位置している加熱管端子４２が収容されており、加熱管端子４２が加熱管と連結されている。具体的には、加熱管端子４２がファンユニット３０に近接した底板１４８の一端に設けられており、加熱管端子４２と給水ポンプ３８とが間隔をあけて設けられている。
【００８３】
このように、加熱管端子４２がファンユニット３０の送風側に設けられているため、加熱管端子４２が使用される場合の動作昇温を下げ、加熱管端子４２の使用寿命を延長することができる。
【００８４】
本明細書において、「一つの実施形態」、「一部の実施形態」、「示例」、「具体示例」或いは「幾つかの示例」などの用語を用いて説明した部分に関しては、該実施形態或いは示例に結合して説明された具体的特徴、構成、材料或いは特徴が、本発明の少なくとも一つの実施形態或いは示例に含まれる。本明細書において、上記用語に対する例示的な表述は、必ずしも同じ実施形態或いは示例を示すことではない。又、説明された具体的特徴、構成、材料或いは特徴は、いずれか一つ或いは複数の実施形態又は示例において適切に結合することができる。
【００８５】
本発明の実施形態を示して説明したが、当業者にとって理解できるのは、本発明の原理及び主旨から逸脱しない限りこれらの実施形態に対して複種の変化、補正、切り替え及び変形を行うことができる。本発明の範囲は、特許請求の範囲及びその等価物により限定される。
【図１】
2017062100.tif 000003
【図２】
2017062100.tif 000004
【図３】
2017062100.tif 000005
【図４】
2017062100.tif 000006
【図５】
2017062100.tif 000007
【図６】
2017062100.tif 000008
【図７】
2017062100.tif 000009